(57)【要約】【課題】被検出物体の近接状態を検知する精度を損なうことなく、消費電力量を低減できる照度検知機能付き近接センサを提供する。【解決手段】照度判定回路２３は、照度センサ１３が検知した照度が第１の照度閾値を超えているか否かを判定する。制御回路２１は、照度判定回路２３が照度が第１の照度閾値を超えていると判定したときに、発光素子１１が光の放射を停止するように、発光素子１１を制御する。【選択図】図２
2010199706.tif 000002
【特許請求の範囲】
【請求項１】
光を放射する発光素子と、
上記発光素子が放射した光の被検出物体からの反射光を受光する受光素子と、
上記受光素子が受光した反射光の光量が判定閾値を超えているか否かを判定する受光量判定回路と、
周囲の照度を検知する照度センサと、
上記照度センサが検知した照度が第１の照度閾値を超えているか否かを判定する照度判定回路と、
上記受光量判定回路および上記照度判定回路の出力を受けると共に、上記照度判定回路が上記照度が第１の照度閾値を超えていると判定したときに、上記発光素子が光の放射を停止するように、上記発光素子を制御する制御回路と
を備えることを特徴とする照度検知機能付き近接センサ。
【請求項２】
請求項１に記載の照度検知機能付き近接センサにおいて、
上記制御回路は、
上記発光素子が一定周期でパルス発光するように、上記発光素子を制御すると共に、
上記発光素子が光を放射しているときに上記照度センサが照度の検知を停止する一方、上記発光素子が光を放射していないときに上記照度センサが照度を検知するように、上記照度センサを制御することを特徴とする照度検知機能付き近接センサ。
【請求項３】
請求項１または２に記載の照度検知機能付き近接センサにおいて、
上記照度判定回路が、上記照度センサが検知した照度が上記第１の照度閾値よりも小さな第２の照度閾値以下であると判定したときに、
上記制御回路は、上記発光素子が放射する光の放射強度を低くするように、上記発光素子を制御し、かつ、上記判定閾値を低くするように、上記受光量判定回路を制御することを特徴とする照度検知機能付き近接センサ。
【請求項４】
請求項１から３の何れか一つに記載の照度検知機能付き近接センサにおいて、
上記照度判定回路が、上記照度センサが検知した照度が上記第１の照度閾値よりも小さな第２の照度閾値以下であると判定し、かつ、上記受光量判定回路が、上記受光素子が受光した反射光の光量が上記判定閾値を超えていると判定したときに、
上記制御回路は、上記発光素子のパルス発光の発光期間を短くするように、上記発光素子を制御することを特徴とする照度検知機能付き近接センサ。
【請求項５】
請求項１から４の何れか一つに記載の照度検知機能付き近接センサにおいて、
上記照度判定回路が、上記照度センサが検知した照度が一定時間内に変化しないと判定したときに、
上記制御回路は、上記発光素子が光の放射を停止するように、上記発光素子を制御することを特徴とする照度検知機能付き近接センサ。
【請求項６】
請求項１から５の何れか一つに記載の照度検知機能付き近接センサにおいて、
上記照度判定回路が、上記照度センサが検知した照度が一定時間内に変化しないと判定したときに、
上記制御回路は、上記発光素子が放射する光の放射強度を低くするように、上記発光素子を制御し、かつ、上記判定閾値を低くするように、上記受光量判定回路を制御することを特徴とする照度検知機能付き近接センサ。
【請求項７】
請求項１から６の何れか一つに記載の照度検知機能付き近接センサにおいて、
上記照度判定回路が、上記照度センサが検知した照度が一定時間内に変化しないと判定し、かつ、上記受光量判定回路が、上記受光素子が受光した反射光の光量が上記判定閾値を超えていると判定したときに、
上記制御回路は、上記発光素子のパルス発光の発光期間を短くするように、上記発光素子を制御することを特徴とする照度検知機能付き近接センサ。
【請求項８】
請求項１から７の何れか一つに記載の照度検知機能付き近接センサにおいて、
上記発光素子が放射した光は、赤外光であることを特徴とする照度検知機能付き近接センサ。
【請求項９】
請求項１から８の何れか一つに記載の照度検知機能付き近接センサを備えることを特徴とする電子機器。
【請求項１０】
請求項９に記載の電子機器において、
上記受光量判定回路が、上記受光素子が受光した反射光の光量が上記判定閾値を超えていると判定したときに、上記照度センサから得られる照度情報を無視することを特徴とする電子機器。
【請求項１１】
請求項９または１０に記載の電子機器において、
上記照度判定回路が、上記照度センサが検知した照度が第１の照度閾値を超えていると判定したときに、上記受光素子から得られる反射光の情報を無視することを特徴とする電子機器。
【発明の詳細な説明】
【技術分野】
【０００１】
この発明は、照度検知機能付き近接センサおよび電子機器に関する。
【背景技術】
【０００２】
一般に、光学式近接センサは、非接触スイッチとして衛生上のメリットがあることから、自動水洗などサニタリ機器のスイッチ類に使用されてきた。最近では、携帯電話の消費電力を抑えるために、光学式近接センサが携帯電話に搭載され出している。すなわち、着信時に携帯電話のスピーカフォンを耳に近づけたことを検知して、液晶バックライトを消灯させて無駄な消費電力を抑えている。
【０００３】
従来、光学式近接センサとしては、例えば、特開平１１−３５４８３２号公報、特開２００２−８４１７７号公報、特開２００７−５２９２８号公報に示されるように、光を放射する発光素子、光を受光する受光素子を有し、発光素子および受光素子はそれぞれ１次モールド樹脂でモールドされる。また、発光素子から放射される光が直接受光素子で受光することを防ぐために、遮光性のある２次モールド樹脂によって発光素子と受光素子とを光学的に隔てる構造をしている。
【０００４】
ここで、被検出物体が近接状態にある場合、発光素子から放射された光が被検出物体で反射し、反射光が受光素子で受光される。また、被検出物体が近接状態にない場合、発光素子から放射された光は拡散し、受光素子で受光されない。このように、受光素子で受光される光の量を測定することで、被検出物体の近接状態を検知することができる。
【先行技術文献】
【特許文献】
【０００５】
【特許文献１】特開平１１−３５４８３２号公報
【特許文献２】特開２００２−８４１７７号公報
【特許文献３】特開２００７−５２９２８号公報
【発明の概要】
【発明が解決しようとする課題】
【０００６】
しかしながら、上記従来の光学式近接センサでは、被検出物体の近接状態を検知するために、常に、発光素子から光を放射する状態になるため、光学式近接センサ自体の電力を無駄に消費する問題があった。
【０００７】
そこで、この発明の課題は、被検出物体の近接状態を検知する精度を損なうことなく、消費電力量を低減できる照度検知機能付き近接センサを提供することにある。
【課題を解決するための手段】
【０００８】
上記課題を解決するため、この発明の照度検知機能付き近接センサは、
光を放射する発光素子と、
上記発光素子が放射した光の被検出物体からの反射光を受光する受光素子と、
上記受光素子が受光した反射光の光量が判定閾値を超えているか否かを判定する受光量判定回路と、
周囲の照度を検知する照度センサと、
上記照度センサが検知した照度が第１の照度閾値を超えているか否かを判定する照度判定回路と、
上記受光量判定回路および上記照度判定回路の出力を受けると共に、上記照度判定回路が上記照度が第１の照度閾値を超えていると判定したときに、上記発光素子が光の放射を停止するように、上記発光素子を制御する制御回路と
を備えることを特徴としている。
【０００９】
この発明の照度検知機能付き近接センサによれば、上記受光量判定回路は、受光素子が受光した反射光の光量が判定閾値を超えているか否かを判定して、反射光の光量が判定閾値を超えているときに、被検出物体が近接センサに近接状態に有ると判断する。
【００１０】
また、上記照度判定回路は、照度センサが検知した照度が第１の照度閾値を超えているか否かを判定して、照度が第１の照度閾値を超えているときに、近接センサの周囲が明るいと判断する。つまり、周囲が十分明るく、かつ、被検出物体が近接状態に無い場合には、照度判定回路によって周囲照度が明るいことが検知される。照度判定回路が十分明るいと検知した場合は、発光素子から光を放射せずとも、被検出物体が近接していないことを検知することができる。
【００１１】
そして、上記制御回路は、受光量判定回路および照度判定回路の出力を受けると共に、照度判定回路が照度が第１の照度閾値を超えていると判定したときに、発光素子が光の放射を停止するように、発光素子を制御するので、周囲が十分明るい場合では、被検出物体が近接状態に無く、発光素子から光を放射する必要が無くなり、近接センサの消費電力を低減することができる。
【００１２】
また、一実施形態の照度検知機能付き近接センサでは、
上記制御回路は、
上記発光素子が一定周期でパルス発光するように、上記発光素子を制御すると共に、
上記発光素子が光を放射しているときに上記照度センサが照度の検知を停止する一方、上記発光素子が光を放射していないときに上記照度センサが照度を検知するように、上記照度センサを制御する。
【００１３】
この実施形態の照度検知機能付き近接センサによれば、上記制御回路は、発光素子を一定周期でパルス発光させるので、被検出物体の移動速度に対して発光素子のパルス発光の周期が十分に短い場合、発光素子を連続的に発光させた時と比べて、被検出物体の近接状態を検知する精度を損なうことなく、近接センサの消費電力を低減することができる。
【００１４】
また、上記制御回路は、発光素子が光を放射しているときに照度センサが照度の検知を停止する一方、発光素子が光を放射していないときに照度センサが照度を検知するように、照度センサを制御するので、発光素子が光を放射している間、照度センサが照度を検知することを停止することで、被検出物体からの反射光が照度センサに受光されて周囲照度の検知に影響を及ぼすことがなくなり、また、照度センサの消費電力を低減することができる。
【００１５】
また、一実施形態の照度検知機能付き近接センサでは、
上記照度判定回路が、上記照度センサが検知した照度が上記第１の照度閾値よりも小さな第２の照度閾値以下であると判定したときに、
上記制御回路は、上記発光素子が放射する光の放射強度を低くするように、上記発光素子を制御し、かつ、上記判定閾値を低くするように、上記受光量判定回路を制御する。
【００１６】
この実施形態の照度検知機能付き近接センサによれば、上記照度判定回路が、照度が第２の照度閾値以下であると判定したときに、近接センサの周囲が暗いと判断する。つまり、周囲が十分暗いか、または、周囲が明るくても被検出物体が近接状態にあって周囲光が照度センサに受光されることを妨げる位置関係にある場合には、照度判定回路によって周囲照度が暗いことが検知される。
【００１７】
そして、周囲が暗いとき、周囲光量に対する被検出物体からの反射光量は相対的に大きいため、上記制御回路は、発光素子が放射する光の放射強度を低くし、かつ、判定閾値を低くすることで、被検出物体の近接状態を検知する精度を損なうことなく、近接センサの消費電力を低減することができる。
【００１８】
また、一実施形態の照度検知機能付き近接センサでは、
上記照度判定回路が、上記照度センサが検知した照度が上記第１の照度閾値よりも小さな第２の照度閾値以下であると判定し、かつ、上記受光量判定回路が、上記受光素子が受光した反射光の光量が上記判定閾値を超えていると判定したときに、
上記制御回路は、上記発光素子のパルス発光の発光期間を短くするように、上記発光素子を制御する。
【００１９】
この実施形態の照度検知機能付き近接センサによれば、上記照度判定回路が、照度が第２の照度閾値以下であると判定したとき、近接センサの周囲が暗いと判断する。上記受光量判定回路が、反射光の光量が判定閾値を超えていると判定したとき、被検出物体が近接センサに近接状態に有ると判断する。
【００２０】
そして、周囲が暗く、被検出物体が近接状態であるとき、上記制御回路は、発光素子のパルス発光の発光期間を短くするように、発光素子を制御することで、消費電力を低減することができる。このとき、周囲照度が暗いので、パルス発光の発光期間を短くしてもＳＮは保たれる。したがって、被検出物体の近接状態を検知する精度を損なうことなく、近接センサの消費電力を低減することができる。
【００２１】
また、一実施形態の照度検知機能付き近接センサでは、
上記照度判定回路が、上記照度センサが検知した照度が一定時間内に変化しないと判定したときに、
上記制御回路は、上記発光素子が光の放射を停止するように、上記発光素子を制御する。
【００２２】
この実施形態の照度検知機能付き近接センサによれば、上記照度判定回路が、照度センサが検知した照度が一定時間内に変化しないと判定したとき、被検出物体が近接もしくは離隔のどちらかの状態を保持していると判断される。
【００２３】
そして、このときに、上記制御回路は、発光素子が光の放射を停止するように、発光素子を制御することで、被検出物体の近接状態を検知する精度を損なうことなく、近接センサの消費電力を低減することができる。
【００２４】
一方、上記照度判定回路が、照度センサが検知した照度が一定時間内に変化したと判定したとき、被検出物体が近接もしくは離隔のどちらかの状態へ移動していると判断される。このときに、上記制御回路は、発光素子が光の放射を開始するように、発光素子を制御することで、発光素子から光を放射する。
【００２５】
また、一実施形態の照度検知機能付き近接センサでは、
上記照度判定回路が、上記照度センサが検知した照度が一定時間内に変化しないと判定したときに、
上記制御回路は、上記発光素子が放射する光の放射強度を低くするように、上記発光素子を制御し、かつ、上記判定閾値を低くするように、上記受光量判定回路を制御する。
【００２６】
この実施形態の照度検知機能付き近接センサによれば、上記照度判定回路が、照度センサが検知した照度が一定時間内に変化しないと判定したとき、被検出物体が近接もしくは離隔のどちらかの状態を保持していると判断される。
【００２７】
そして、このときに、上記制御回路は、上記発光素子が放射する光の放射強度を低くするように、上記発光素子を制御し、かつ、上記判定閾値を低くするように、上記受光量判定回路を制御することで、被検出物体の近接状態を検知する精度を損なうことなく、近接センサの消費電力を低減することができる。
【００２８】
一方、上記照度判定回路が、照度センサが検知した照度が一定時間内に変化したと判定したとき、被検出物体が近接もしくは離隔のどちらかの状態へ移動していると判断される。このときに、上記制御回路は、発光素子が放射する光の放射強度を元に戻す（高くする）ように、発光素子を制御し、かつ、判定閾値を元に戻す（高くする）ように、受光量判定回路を制御する。
【００２９】
また、一実施形態の照度検知機能付き近接センサでは、
上記照度判定回路が、上記照度センサが検知した照度が一定時間内に変化しないと判定し、かつ、上記受光量判定回路が、上記受光素子が受光した反射光の光量が上記判定閾値を超えていると判定したときに、
上記制御回路は、上記発光素子のパルス発光の発光期間を短くするように、上記発光素子を制御する。
【００３０】
この実施形態の照度検知機能付き近接センサによれば、上記照度判定回路が、照度センサが検知した照度が一定時間内に変化しないと判定したとき、被検出物体が近接もしくは離隔のどちらかの状態を保持していると判断される。上記受光量判定回路が、反射光の光量が判定閾値を超えていると判定したとき、被検出物体が近接センサに近接状態に有ると判断する。
【００３１】
そして、被検出物体が近接状態を保持しているとき、上記制御回路は、発光素子のパルス発光の発光期間を短くするように、発光素子を制御することで、消費電力を低減することができる。このとき、周囲照度が暗いので、パルス発光の発光期間を短くしてもＳＮは保たれる。したがって、被検出物体の近接状態を検知する精度を損なうことなく、近接センサの消費電力を低減することができる。
【００３２】
また、一実施形態の照度検知機能付き近接センサでは、上記発光素子が放射した光は、赤外光である。
【００３３】
この実施形態の照度検知機能付き近接センサによれば、上記発光素子が放射した光は、赤外光であるので、照度センサで受光する光の波長領域を可視光とすることで、発光素子から放射される光が照度センサに受光されて周囲照度が誤検知されることを防ぐことができる。
【００３４】
さらに、蛍光灯下のように赤外光の光量が可視光の光量に比べ相対的に少ない環境では、近接センサに対する外乱光の影響を低減することができる。また、近接センサの動作時には、外観上目立たなくすることができる。
【００３５】
また、この発明の電子機器は、上記照度検知機能付き近接センサを備えることを特徴としている。
【００３６】
この発明の電子機器によれば、上記照度検知機能付き近接センサを備えているので、消費電力が低い近接センサが使用されることにより、電子機器の消費電力を低減することができる。
【００３７】
また、一実施形態の電子機器では、上記受光量判定回路が、上記受光素子が受光した反射光の光量が上記判定閾値を超えていると判定したときに、上記照度センサから得られる照度情報を無視する。
【００３８】
この実施形態の電子機器によれば、上記受光量判定回路が、反射光の光量が判定閾値を超えていると判定したとき、被検出物体が電子機器に近接状態に有ると判断する。
【００３９】
そして、例えば、この電子機器が、照度センサによって検知される周囲照度に応じて液晶モニタのバックライトの輝度を調光することで低消費電力化を図る機器である場合、被検出物体が近接状態にあって周囲光が照度センサに受光されることを妨げる位置関係にあるときに、照度センサから得られる照度情報を無視することで、周囲照度が暗いと誤検知することを防ぐことができる。
【００４０】
すなわち、照度判定回路により周囲照度が暗いことを検知した場合でも、被検出物体が近接状態にある場合には、バックライトの輝度を不要に明るくすることが無くなり、電子機器の消費電力が増加することを防ぐことができる。
【００４１】
また、一実施形態の電子機器では、上記照度判定回路が、上記照度センサが検知した照度が第１の照度閾値を超えていると判定したときに、上記受光素子から得られる反射光の情報を無視する。
【００４２】
この実施形態の電子機器によれば、上記照度判定回路が、照度センサが検知した照度が第１の照度閾値を超えていると判定したとき、電子機器の周囲が明るいと判断する。
【００４３】
そして、被検出物体が近接状態に無い場合、周囲照度が十分明るく受光素子に周囲光が受光されることがあっても、照度判定回路により周囲照度が十分明るいことを検知して、受光素子から得られる反射光の情報を無視することで、被検出物体の近接状態を誤検知することを防ぐことができる。
【発明の効果】
【００４４】
この発明の照度検知機能付き近接センサによれば、上記制御回路は、受光量判定回路および照度判定回路の出力を受けると共に、照度判定回路が照度が第１の照度閾値を超えていると判定したときに、発光素子が光の放射を停止するように、発光素子を制御するので、被検出物体の近接状態を検知する精度を損なうことなく、近接センサの消費電力を低減することができる。
【００４５】
この発明の電子機器によれば、上記照度検知機能付き近接センサを備えているので、電子機器の消費電力を低減することができる。
【図面の簡単な説明】
【００４６】
【図１】本発明の照度検知機能付き近接センサの第１実施形態を示す簡略構成図である。
【図２】照度検知機能付き近接センサのブロック図を示す。
【図３】本発明の照度検知機能付き近接センサの第２実施形態を示すと共に近接センサの動作タイミングを示すグラフである。
【図４】本発明の照度検知機能付き近接センサの第３実施形態を示すと共に近接センサの動作タイミングを示すグラフである。
【図５】本発明の照度検知機能付き近接センサの第４実施形態を示すと共に近接センサの動作タイミングを示すグラフである。
【図６】本発明の照度検知機能付き近接センサの第５実施形態を示すと共に近接センサの動作タイミングを示すグラフである。
【図７】本発明の照度検知機能付き近接センサの第６実施形態を示すと共に近接センサの動作タイミングを示すグラフである。
【図８】本発明の照度検知機能付き近接センサの第７実施形態を示すと共に近接センサの動作タイミングを示すグラフである。
【図９】本発明の電子機器としての携帯電話を示す斜視図である。
【図１０】本発明の電子機器としてのデジタルカメラを示す正面図である。
【図１１】本発明の電子機器としての他の携帯電話を示す斜視図である。
【図１２】本発明の電子機器の作用を説明する説明図である。
【図１３Ａ】本発明の他の照度検知機能付き近接センサの動作を示すフロー図である。
【図１３Ｂ】本発明の他の照度検知機能付き近接センサの動作を示すフロー図である。
【図１４Ａ】本発明の別の照度検知機能付き近接センサの動作を示すフロー図である。
【図１４Ｂ】本発明の別の照度検知機能付き近接センサの動作を示すフロー図である。
【発明を実施するための形態】
【００４７】
以下、この発明を図示の実施の形態により詳細に説明する。
【００４８】
（第１の実施形態）
図１は、この発明の照度検知機能付き近接センサの一実施形態である簡略構成図を示している。図１に示すように、この近接センサ１０は、光を放射する発光素子１１と、光を受光する受光素子１２と、周囲の照度を検知する照度センサ１３とを有する。
【００４９】
上記発光素子１１、上記受光素子１２および上記照度センサ１３は、互いに間隔をあけて、基板１４の同一面に取り付けられている。上記発光素子１１、上記受光素子１２および上記照度センサ１３は、同一方向に、指向している。
【００５０】
上記発光素子１１、上記受光素子１２および上記照度センサ１３は、それぞれ、１次モールド樹脂１５でモールドされる。
【００５１】
上記発光素子１１、上記受光素子１２および上記照度センサ１３の互いの間には、遮光性のある２次モールド樹脂１６が設けられている。この２次モールド樹脂１６は、発光素子１１、受光素子１２および照度センサ１３を光学的に隔て、発光素子１１から放射される光が、直接、受光素子１２および照度センサ１３で受光されることを防ぐ。
【００５２】
上記受光素子１２が受光する光の波長領域は、受光素子１２が周囲光を受光することによる影響を低減するために、発光素子１１から放射される光の波長領域と合わせるべく、１次モールド樹脂１５のうち受光素子１２をモールドする部分に、特定波長領域以外の光を吸収する染料などを混入し、または、受信回路にバンドパスフィルタを導入することが望ましい。
【００５３】
上記照度センサ１３が受光する光の波長領域は、可視光領域であって、発光素子１１から放射される光を受光することによる影響を低減させるために、１次モールド樹脂１５のうち照度センサ１３をモールドする部分に、発光素子１１から発光する波長領域の光だけを吸収する素材を混入することが望ましい。
【００５４】
図２に示すように、被検出物体２０が近接センサ１０に近接状態にある場合、発光素子１１が放射した出射光２４は、被検出物体２０で反射し、被検出物体２０からの反射光２５は、受光素子１２で受光される。
【００５５】
上記受光素子１２は、反射光２５の光量に応じた電流Ｓ１を発生させ、受光量判定回路２２へ入力される。上記受光量判定回路２２は、受光素子１２が受光した反射光２５の光量が判定閾値を超えているか否かを判定する。
【００５６】
つまり、上記受光量判定回路２２は、あらかじめ設定された判定閾値と電流値Ｓ１とを比較し、電流値Ｓ１が判定閾値を超える場合、受光量判定回路２２は、ハイレベル信号Ｓ２を制御回路２１へ入力する。ハイレベル信号Ｓ２は、被検出物体２０が近接センサ１０に近接状態に有ることを意味する。
【００５７】
一方、上記受光量判定回路２２が、反射光２５の光量が判定閾値以下であると判定した場合、受光量判定回路２２は、ローレベル信号を制御回路２１へ入力する。ローレベル信号は、被検出物体２０が近接センサ１０に近接状態に無いことを意味する。
【００５８】
ここで、周囲が十分明るい場合、周囲光２６は、被検出物体２０によって遮られて、照度センサ１３で受光されない。
【００５９】
上記被検出物体２０が近接センサ１０に近接状態にない場合、発光素子１１から放射された出射光２４は拡散し、この出射光２４は受光素子１２で受光されない。しかし、ここで周囲が十分明るい場合、周囲光２６は、受光素子１２および照度センサ１３で受光される。
【００６０】
上記照度センサ１３は、周囲光２６の光量に応じた電流Ｓ３を発生させ、照度判定回路２３へ入力される。上記照度判定回路２３は、照度センサ１３が検知した照度が第１の照度閾値を超えているか否かを判定する。
【００６１】
つまり、上記照度判定回路２３は、あらかじめ設定された第１の照度閾値と電流値Ｓ３とを比較し、電流値Ｓ３が第１の照度閾値を超える場合、照度判定回路２３は、ハイレベル信号Ｓ４を制御回路２１へ入力する。ハイレベル信号Ｓ４は、周囲が十分明るく、かつ、被検出物体２０が近接状態に無いことを意味する。
【００６２】
一方、上記照度判定回路２３が、照度が第１の照度閾値以下であると判定した場合、照度判定回路２３は、ローレベル信号を制御回路２１へ入力する。ローレベル信号は、周囲が暗いことを意味する。
【００６３】
上記制御回路２１は、受光量判定回路２２および照度判定回路２３の出力を受けると共に、照度判定回路２３が照度が第１の照度閾値を超えていると判定したときに、発光素子１１が光の放射を停止するように、発光素子１１を制御する。
【００６４】
つまり、上記照度判定回路２３がハイレベル信号Ｓ４を制御回路２１へ入力する限り、上記制御回路２１は、発光素子１１から光を放射することを停止し、近接センサ１０の消費電力を低減することができる。
【００６５】
周囲光２６が、発光素子１１から放射される出射光２４の波長領域に近い波長成分を含む場合、周囲光２６が受光素子１２で受光されることによって、前述の通り受光量判定回路２２はハイレベル信号Ｓ２を制御回路２１へ入力する。このように、被検出物体２０が近接状態にないにも関わらず、被検出物体２０が近接状態にあると誤検知することを防ぐため、照度判定回路２３がハイレベル信号Ｓ４を制御回路２１へ入力している場合は、制御回路２１からローレベル信号Ｓ５を外部へ出力する。ローレベル信号Ｓ５は、被検出物体２０が近接状態にないことを意味する。一方、被検出物体２０が近接状態にある場合、制御回路２１からハイレベル信号を外部へ出力する。
【００６６】
上記構成の近接センサ１０によれば、上記受光量判定回路２２は、受光素子１２が受光した反射光２５の光量が判定閾値を超えているか否かを判定して、反射光２５の光量が判定閾値を超えているときに、被検出物体２０が近接センサ１０に近接状態に有ると判断する。
【００６７】
また、上記照度判定回路２３は、照度センサ１３が検知した照度が第１の照度閾値を超えているか否かを判定して、照度が第１の照度閾値を超えているときに、近接センサ１０の周囲が明るいと判断する。つまり、周囲が十分明るく、かつ、被検出物体２０が近接状態に無い場合には、照度判定回路２３によって周囲照度が明るいことが検知される。照度判定回路２３が十分明るいと検知した場合は、発光素子１１から光を放射せずとも、被検出物体２０が近接していないことを検知することができる。
【００６８】
そして、上記制御回路２１は、受光量判定回路２２および照度判定回路２３の出力を受けると共に、照度判定回路２３が照度が第１の照度閾値を超えていると判定したときに、発光素子１１が光の放射を停止するように、発光素子１１を制御するので、周囲が十分明るい場合では、被検出物体２０が近接状態に無く、発光素子１１から光を放射する必要が無くなり、近接センサ１０の消費電力を低減することができる。
【００６９】
（第２の実施形態）
図３は、この発明の照度検知機能付き近接センサの第２の実施形態を示している。上記第１の実施形態と相違する点を説明すると、この第２の実施形態では、制御回路の制御方法が相違する。
【００７０】
この第２の実施形態では、図２を参照して、制御回路２１は、発光素子１１が一定周期でパルス発光するように、発光素子１１を制御する。制御回路２１は、発光素子１１が光を放射しているときに照度センサ１３が照度の検知を停止する一方、発光素子１１が光を放射していないときに照度センサ１３が照度を検知するように、照度センサ１３を制御する。
【００７１】
つまり、図３に示すように、発光素子１１および受光素子１２の動作タイミングは、図３（Ａ）中の符号３０で示され、受光素子１２の受光強度は、図３（Ｂ）中の符号３１で示される。
【００７２】
被検出物体２０が近接センサ１０の近くに無い場合は、パルス発光した光が受光素子１２で受光されず、被検出物体２０が近付くと受光素子１２の受光強度が強くなり、判定閾値３２を超えると被検出物体２０を検知する。
【００７３】
照度センサ１３の動作タイミングは、図３（Ｃ）中の符号３３で示され、照度センサ１３は、発光素子１１のパルス発光のうち光を放射していない期間に、動作する。
【００７４】
照度センサ１３の受光強度は、図３（Ｄ）中の符号３４で示される。周囲が十分明るく、被検出物体２０が近接センサ１０の近くに無い場合、照度センサ１３は周囲光を受光するが、被検出物体２０が近付くと周囲光が遮られ、照度センサ１３の受光強度が減少する。
【００７５】
上記構成の近接センサによれば、上記制御回路２１は、発光素子１１を一定周期でパルス発光させるので、被検出物体２０の移動速度に対して発光素子１１のパルス発光の周期が十分に短い場合、発光素子１１を連続的に発光させた時と比べて、被検出物体２０の近接状態を検知する精度を損なうことなく、近接センサの消費電力を低減することができる。
【００７６】
また、上記制御回路２１は、発光素子１１が光を放射しているときに照度センサ１３が照度の検知を停止する一方、発光素子１１が光を放射していないときに照度センサ１３が照度を検知するように、照度センサ１３を制御するので、発光素子１１が光を放射している間、照度センサ１３が照度を検知することを停止することで、被検出物体２０からの反射光が照度センサ１３に受光されて周囲照度の検知に影響を及ぼすことがなくなり、また、照度センサ１３の消費電力を低減することができる。
【００７７】
（第３の実施形態）
図４は、この発明の照度検知機能付き近接センサの第３の実施形態を示している。上記第１の実施形態と相違する点を説明すると、この第３の実施形態では、制御回路の制御方法が相違する。
【００７８】
この第３の実施形態では、図２を参照して、照度判定回路２３が、照度センサ１３が検知した照度が第１の照度閾値よりも小さな第２の照度閾値以下であると判定したときに、制御回路２１は、発光素子１１が放射する光の放射強度を低くするように、発光素子１１を制御し、かつ、判定閾値を低くするように、受光量判定回路２２を制御する。
【００７９】
つまり、図４に示すように、照度センサ１３の受光強度は、図４（Ａ）中の符号４０で示され、発光素子１１の放射強度は、図４（Ｂ）中の符号４２で示され、受光素子１２の受光強度は、図４（Ｃ）で示される。そして、照度センサ１３の受光強度４０が第２の照度閾値４１以下であるときに、発光素子１１から放射する光の放射強度４２を低くし、かつ、判定閾値４３を低くする。
【００８０】
上記構成の近接センサによれば、上記照度判定回路２３が、照度が第２の照度閾値以下であると判定したときに、近接センサの周囲が暗いと判断する。つまり、周囲が十分暗いか、または、周囲が明るくても被検出物体２０が近接状態にあって周囲光が照度センサ１３に受光されることを妨げる位置関係にある場合には、照度判定回路２３によって周囲照度が暗いことが検知される。
【００８１】
そして、周囲が暗いとき、周囲光量に対する被検出物体２０からの反射光量は相対的に大きいため、上記制御回路２１は、発光素子１１が放射する光の放射強度を低くし、かつ、判定閾値を低くすることで、被検出物体２０の近接状態を検知する精度を損なうことなく、近接センサの消費電力を低減することができる。
【００８２】
（第４の実施形態）
図５は、この発明の照度検知機能付き近接センサの第４の実施形態を示している。上記第１の実施形態と相違する点を説明すると、この第４の実施形態では、制御回路の制御方法が相違する。
【００８３】
この第４の実施形態では、図２を参照して、照度判定回路２３が、照度センサ１３が検知した照度が第１の照度閾値よりも小さな第２の照度閾値以下であると判定し、かつ、受光量判定回路２２が、受光素子１２が受光した反射光の光量が判定閾値を超えていると判定したときに、制御回路２１は、発光素子１１のパルス発光の発光期間を短くするように、発光素子１１を制御する。
【００８４】
つまり、図５に示すように、照度センサ１３の受光強度は、図５（Ａ）中の符号５０で示され、受光素子１２の受光強度は、図５（Ｂ）中の符号５２で示され、発光素子１１の放射強度は、図５（Ｃ）中の符号５４で示される。そして、照度センサ１３の受光強度５０が第２の照度閾値５１以下であることを検知し、かつ、受光素子１２の受光強度５２が判定閾値５３を超えることを検知したときに、発光素子１１の放射強度５４に示されるように、発光素子１１のパルス発光において発光期間を短くする。
【００８５】
上記構成の近接センサによれば、上記照度判定回路２３が、照度が第２の照度閾値以下であると判定したとき、近接センサの周囲が暗いと判断する。上記受光量判定回路２２が、反射光の光量が判定閾値を超えていると判定したとき、被検出物体２０が近接センサに近接状態に有ると判断する。
【００８６】
そして、周囲が暗く、被検出物体２０が近接状態であるとき、上記制御回路２１は、発光素子１１のパルス発光の発光期間を短くするように、発光素子１１を制御することで、消費電力を低減することができる。このとき、周囲照度が暗いので、パルス発光の発光期間を短くしてもＳＮは保たれる。したがって、被検出物体２０の近接状態を検知する精度を損なうことなく、近接センサの消費電力を低減することができる。
【００８７】
（第５の実施形態）
図６は、この発明の照度検知機能付き近接センサの第５の実施形態を示している。上記第１の実施形態と相違する点を説明すると、この第５の実施形態では、制御回路の制御方法が相違する。
【００８８】
この第５の実施形態では、図２を参照して、照度判定回路２３が、照度センサ１３が検知した照度が一定時間内に変化しないと判定したときに、制御回路２１は、発光素子１１が光の放射を停止するように、発光素子１１を制御する。
【００８９】
つまり、図６に示すように、照度センサ１３の受光強度は、図６（Ａ）中の符号６０で示され、発光素子１１の放射強度は、図６（Ｂ）中の符号６１で示され、受光素子１２の受光強度は、図６（Ｃ）中の符号６２で示される。そして、照度センサ１３の受光強度６０が一定時間内に変化しないことを検知したときには、発光素子１１から光を放射することを停止し、受光強度６０が一定時間内に変化したときには発光素子１１から光を放射する。
【００９０】
受光強度６０が一定時間内に変化したか否かを判定するのは、照度判定回路２３が担う。照度判定回路２３は、発光素子１１のパルス発光のうち光を放射していない期間に動作する照度センサ１３からの出力信号を少なくとも２期間分入力されて、２期間分の信号レベルを比較し、変化量を検知する。
【００９１】
また、照度判定回路２３は、照度変化に対するある一定の基準量６４を記憶しており、変化量が基準量を超える場合、受光強度が変化したと判定する。
【００９２】
受光素子１２の受光強度６２が判定閾値６３を超えたか否かの情報は、次に照度変化が起こり発光素子１１から光を放射して受光素子１２で受光されて受光強度が判定されるまで保つ。
【００９３】
上記構成の近接センサによれば、上記照度判定回路２３が、照度センサ１３が検知した照度が一定時間内に変化しないと判定したとき、被検出物体２０が近接もしくは離隔のどちらかの状態を保持していると判断される。
【００９４】
そして、このときに、上記制御回路２１は、発光素子１１が光の放射を停止するように、発光素子１１を制御することで、被検出物体２０の近接状態を検知する精度を損なうことなく、近接センサの消費電力を低減することができる。
【００９５】
一方、上記照度判定回路２３が、照度センサ１３が検知した照度が一定時間内に変化したと判定したとき、被検出物体２０が近接もしくは離隔のどちらかの状態へ移動していると判断される。このときに、上記制御回路２１は、発光素子１１が光の放射を開始するように、発光素子１１を制御することで、発光素子１１から光を放射する。
【００９６】
（第６の実施形態）
図７は、この発明の照度検知機能付き近接センサの第６の実施形態を示している。上記第１の実施形態と相違する点を説明すると、この第６の実施形態では、制御回路の制御方法が相違する。
【００９７】
この第６の実施形態では、図２を参照して、照度判定回路２３が、照度センサ１３が検知した照度が一定時間内に変化しないと判定したときに、制御回路２１は、発光素子１１が放射する光の放射強度を低くするように、発光素子１１を制御し、かつ、判定閾値を低くするように、受光量判定回路２２を制御する。
【００９８】
つまり、図７に示すように、照度センサ１３の受光強度は、図７（Ａ）中の符号７０で示され、発光素子１１の放射強度は、図７（Ｂ）中の符号７１で示され、受光素子１２の受光強度は、図７（Ｃ）で示される。そして、照度センサ１３の受光強度７０が一定時間内に変化しないことを検知したときには、発光素子１１から放射する光の放射強度７１を低めて、かつ、判定閾値７２を低める。
【００９９】
受光強度７０が一定時間内に変化したか否かを判定するのは、照度判定回路２３が担う。照度判定回路２３は、発光素子１１のパルス発光のうち光を放射していない期間に動作する照度センサ１３からの出力信号を少なくとも２期間分入力されて、２期間分の信号レベルを比較し、変化量を検知する。
【０１００】
また、照度判定回路２３は、照度変化に対するある一定の基準量７３を記憶しており、変化量が基準量を超える場合、受光強度が変化したと判定する。
【０１０１】
上記構成の近接センサによれば、上記照度判定回路２３が、照度センサ１３が検知した照度が一定時間内に変化しないと判定したとき、被検出物体２０が近接もしくは離隔のどちらかの状態を保持していると判断される。
【０１０２】
そして、このときに、上記制御回路２１は、上記発光素子１１が放射する光の放射強度を低くするように、上記発光素子１１を制御し、かつ、上記判定閾値を低くするように、上記受光量判定回路２２を制御することで、被検出物体２０の近接状態を検知する精度を損なうことなく、近接センサの消費電力を低減することができる。
【０１０３】
一方、上記照度判定回路２３が、照度センサ１３が検知した照度が一定時間内に変化したと判定したとき、被検出物体２０が近接もしくは離隔のどちらかの状態へ移動していると判断される。このときに、上記制御回路２１は、発光素子１１が放射する光の放射強度を元に戻す（高くする）ように、発光素子１１を制御し、かつ、判定閾値を元に戻す（高くする）ように、受光量判定回路２２を制御する。
【０１０４】
（第７の実施形態）
図８は、この発明の照度検知機能付き近接センサの第７の実施形態を示している。上記第１の実施形態と相違する点を説明すると、この第７の実施形態では、制御回路の制御方法が相違する。
【０１０５】
この第７の実施形態では、図２を参照して、照度判定回路２３が、照度センサ１３が検知した照度が一定時間内に変化しないと判定し、かつ、受光量判定回路２２が、受光素子１２が受光した反射光の光量が判定閾値を超えていると判定したときに、制御回路２１は、発光素子１１のパルス発光の発光期間を短くするように、発光素子１１を制御する。
【０１０６】
つまり、図８に示すように、照度センサ１３の受光強度は、図８（Ａ）中の符号８０で示され、受光素子１２の受光強度は、図８（Ｂ）中の符号８１で示され、発光素子１１の放射強度は、図８（Ｃ）中の符号８３で示される。そして、照度センサ１３の受光強度８０が一定時間内に変化しないことを検知し、かつ、受光素子１２の受光強度８１が判定閾値８２を超えて被検出物体２０が近接状態であることを検知したときに、発光素子１１の放射強度８３に示されるように、発光素子１１のパルス発光において発光期間を短くする。
【０１０７】
受光強度８０が一定時間内に変化したか否かを判定するのは、照度判定回路２３が担う。照度判定回路２３は、発光素子１１のパルス発光のうち光を放射していない期間に動作する照度センサ１３からの出力信号を少なくとも２期間分入力されて、２期間分の信号レベルを比較し、変化量を検知する。
【０１０８】
また、照度判定回路２３は、照度変化に対するある一定の基準量８４を記憶しており、変化量が基準量を超える場合、受光強度が変化したと判定する。
【０１０９】
上記構成の近接センサによれば、上記照度判定回路２３が、照度センサ１３が検知した照度が一定時間内に変化しないと判定したとき、被検出物体２０が近接もしくは離隔のどちらかの状態を保持していると判断される。上記受光量判定回路２２が、反射光の光量が判定閾値を超えていると判定したとき、被検出物体２０が近接センサに近接状態に有ると判断する。
【０１１０】
そして、被検出物体２０が近接状態を保持しているとき、上記制御回路２１は、発光素子１１のパルス発光の発光期間を短くするように、発光素子１１を制御することで、消費電力を低減することができる。このとき、周囲照度が暗いので、パルス発光の発光期間を短くしてもＳＮは保たれる。したがって、被検出物体２０の近接状態を検知する精度を損なうことなく、近接センサの消費電力を低減することができる。
【０１１１】
（第８の実施形態）
この発明の照度検知機能付き近接センサの第８の実施形態では、図２を参照して、発光素子１１が放射した光は、赤外光である。したがって、照度センサ１３で受光する光の波長領域を可視光とすることで、発光素子１１から放射される光が照度センサ１３に受光されて周囲照度が誤検知されることを防ぐことができる。
【０１１２】
さらに、蛍光灯下のように赤外光の光量が可視光の光量に比べ相対的に少ない環境では、近接センサに対する外乱光の影響を低減することができる。また、近接センサの動作時には、外観上目立たなくすることができる。
【０１１３】
（第９の実施形態）
図９と図１０は、この発明の電子機器の一実施形態を示している。図９は、電子機器としての携帯電話９０を示し、図１０は、電子機器としてのデジタルカメラ９５を示す。
【０１１４】
図９に示すように、携帯電話９０は、上記第１から上記第８の実施形態の何れか一つに記載の照度検知機能付き近接センサ９１を備える。携帯電話９０は、液晶モニタ９２を有し、周囲光の明るさに応じて、液晶モニタ９２のＬＥＤバックライトを調光する。また、携帯電話９０は、被検出物体２０の近接状態に応じて、液晶モニタ９２の表示やＬＥＤバックライトの点灯を制御することで、消費電力を低減する。
【０１１５】
図１０に示すように、デジタルカメラ９５は、上記第１から上記第８の実施形態の何れか一つに記載の照度検知機能付き近接センサ９３を備える。デジタルカメラ９５は、液晶モニタ９４を有し、周囲光の明るさに応じて、液晶モニタ９４のＬＥＤバックライトを調光する。また、デジタルカメラ９５は、被検出物体２０の近接状態に応じて、液晶モニタ９４の表示やＬＥＤバックライトの点灯を制御することで、消費電力を低減する。
【０１１６】
したがって、上記構成の電子機器によれば、より消費電力が低い上記近接センサ９１，９３が使用されることにより、電子機器の消費電力を低減することができる。
【０１１７】
（第１０の実施形態）
図１１は、この発明の電子機器の他の実施形態を示している。図１１に示すように、電子機器としての携帯電話１００は、上記第１から上記第８の実施形態の何れか一つに記載の照度検知機能付き近接センサ１０１を備える。
【０１１８】
携帯電話１００は、液晶モニタ１０２を有し、周囲光の明るさに応じて、液晶モニタ１０２のＬＥＤバックライトを調光する。また、携帯電話１００は、被検出物体２０（この実施形態では、手である）の近接状態に応じて、液晶モニタ１０２の表示やＬＥＤバックライトの点灯を制御することで、消費電力を低減する。
【０１１９】
この携帯電話１００では、図２を参照して、受光量判定回路２２が、受光素子１２が受光した反射光の光量が判定閾値を超えていると判定したときに、照度センサ１３から得られる照度情報を無視する。
【０１２０】
つまり、被検出物体２０（手）が近接センサ１０１に近接している場合、被検出物体２０により周囲光が照度センサ１３に受光されることを妨げられ、照度センサ１３は正確な周囲光の照度を検知することができない。
【０１２１】
このように、照度センサ１３の出力により液晶モニタ１０２のバックライトを自動調光する電子機器において、被検出物体２０の影によって不適切な調光が行われることを防ぐため、近接センサ１０１が被検出物体２０の近接状態を検知している場合、照度センサ１３から得られる照度情報を無視する。
【０１２２】
上記構成の電子機器によれば、上記受光量判定回路２２が、反射光の光量が判定閾値を超えていると判定したとき、被検出物体２０が電子機器に近接状態に有ると判断する。
【０１２３】
そして、例えば、この電子機器が、照度センサ１３によって検知される周囲照度に応じて液晶モニタのバックライトの輝度を調光することで低消費電力化を図る機器である場合、被検出物体２０が近接状態にあって周囲光が照度センサ１３に受光されることを妨げる位置関係にあるときに、照度センサ１３から得られる照度情報を無視することで、周囲照度が暗いと誤検知することを防ぐことができる。
【０１２４】
すなわち、照度判定回路２３により周囲照度が暗いことを検知した場合でも、被検出物体２０が近接状態にある場合には、バックライトの輝度を不要に明るくすることが無くなり、電子機器の消費電力が増加することを防ぐことができる。
【０１２５】
（第１１の実施形態）
図１２は、この発明の電子機器の別の実施形態を示している。図１２に示すように、電子機器は、上記第１から上記第８の実施形態の何れか一つに記載の照度検知機能付き近接センサ１１０を備える。
【０１２６】
この電子機器では、図２を参照して、照度判定回路２３が、照度センサ１３が検知した照度が第１の照度閾値を超えていると判定したときに、受光素子１２から得られる反射光の情報を無視する。
【０１２７】
つまり、被検出物体２０が近接状態に無く、かつ、周囲照度が十分明るく、外光１１２が受光素子１２に受光される場合、発光素子１１の放射光１１１が架空の被検出物体１１２によって反射された光とみなされ、架空の被検出物体１１２が近くにあると誤検知される可能性がある。
【０１２８】
そこで、上記構成の電子機器によれば、上記照度判定回路２３が、照度センサ１３が検知した照度が第１の照度閾値を超えていると判定したとき、電子機器の周囲が明るいと判断する。
【０１２９】
そして、被検出物体２０が近接状態に無い場合、周囲照度が十分明るく受光素子１２に周囲光が受光されることがあっても、照度判定回路２３により周囲照度が十分明るいことを検知して、受光素子１２から得られる反射光の情報を無視することで、被検出物体２０の近接状態を誤検知することを防ぐことができる。
【０１３０】
（第１２の実施形態）
図１３Ａと図１３Ｂは、この発明の照度検知機能付き近接センサの他の実施形態を示している。図１３Ａと図１３Ｂに示すように、この近接センサの動作フローは、上記第１から上記第５の実施形態を組み合わせたものである。
【０１３１】
つまり、工程Ｓ１〜工程Ｓ３は、上記第１の実施形態を示す。工程Ｓ４、工程Ｓ５および工程Ｓ１１は、上記第３の実施形態を示す。工程Ｓ６は、上記第５の実施形態を示す。工程Ｓ７、工程Ｓ８、工程Ｓ１２および工程Ｓ１３は、上記第２の実施形態を示す。工程Ｓ１５、工程Ｓ１６および工程Ｓ１０は、上記第４の実施形態を示す。
【０１３２】
このように、図１３Ａと図１３Ｂは、上記第１から上記第５の実施形態を組み合わせたものであるため、詳細な説明を省略する。
【０１３３】
（第１３の実施形態）
図１４Ａと図１４Ｂは、この発明の照度検知機能付き近接センサの別の実施形態を示している。図１４Ａと図１４Ｂに示すように、この近接センサの動作フローは、上記第１から上記第４、上記第６、上記第７の実施形態を組み合わせたものである。
【０１３４】
つまり、工程Ｓ１〜工程Ｓ３は、上記第１の実施形態を示す。工程Ｓ４、工程Ｓ５および工程Ｓ１１は、上記第３の実施形態を示す。工程Ｓ６および工程Ｓ２０は、上記第６の実施形態を示す。工程Ｓ７、工程Ｓ８、工程Ｓ１２、工程Ｓ１３、工程Ｓ２１および工程Ｓ２２は、上記第２の実施形態を示す。工程Ｓ１５、工程Ｓ１６および工程Ｓ１０は、上記第４の実施形態を示す。工程Ｓ２４、工程Ｓ２５および工程Ｓ１０は、上記第７の実施形態を示す。
【０１３５】
このように、図１４Ａと図１４Ｂは、上記第１から上記第４、上記第６、上記第７の実施形態を組み合わせたものであるため、詳細な説明を省略する。
【０１３６】
なお、この発明は上述の実施形態に限定されない。例えば、照度検知機能付き近接センサとしては、上記第１から上記第８の実施形態を様々に組み合わせてもよい。また、電子機器としては、携帯電話やデジタルカメラ以外の機器であってもよい。
【符号の説明】
【０１３７】
１０  照度検知機能付き近接センサ
１１  発光素子
１２  受光素子
１３  照度センサ
１４  基板
１５  １次モールド樹脂
１６  ２次モールド樹脂
２０  被検出物体
２１  制御回路
２２  受光量判定回路
２３  照度判定回路
２４  出射光
２５  反射光
２６  周囲光
３０  発光素子および受光素子の動作タイミング
３１  受光素子の受光強度
３２  判定閾値
３３  照度センサの動作タイミング
３４  照度センサの受光強度
４０  照度センサの受光強度
４１  第２の照度閾値
４２  発光素子の放射強度
４３  判定閾値
５０  照度センサの受光強度
５１  第２の照度閾値
５２  受光素子の受光強度
５３  判定閾値
５４  発光素子の放射強度
６０  照度センサの受光強度
６１  発光素子の放射強度
６２  受光素子の受光強度
６３  判定閾値
６４  一定の基準量
７０  照度センサの受光強度
７１  発光素子の放射強度
７２  判定閾値
７３  一定の基準量
８０  照度センサの受光強度
８１  受光素子の受光強度
８２  判定閾値
８３  発光素子の放射強度
８４  一定の基準量
９０  携帯電話
９１  照度検知機能付き近接センサ
９３  照度検知機能付き近接センサ
９５  デジタルカメラ
１００  携帯電話
１０１  照度検知機能付き近接センサ
１１０  照度検知機能付き近接センサ
１１１  発光素子の放射光
１１２  架空の被検出物体
１１３  外光
【図１】
2010199706.tif 000003
【図２】
2010199706.tif 000004
【図３】
2010199706.tif 000005
【図４】
2010199706.tif 000006
【図５】
2010199706.tif 000007
【図６】
2010199706.tif 000008
【図７】
2010199706.tif 000009
【図８】
2010199706.tif 000010
【図９】
2010199706.tif 000011
【図１０】
2010199706.tif 000012
【図１１】
2010199706.tif 000013
【図１２】
2010199706.tif 000014
【図１３Ａ】
2010199706.tif 000015
【図１３Ｂ】
2010199706.tif 000016
【図１４Ａ】
2010199706.tif 000017
【図１４Ｂ】
2010199706.tif 000018